(57)【要約】【課題】EL材を備え、光電変換の原理を利用して電源を受け取って冷光を発する、使用に便利で安全性の高い、冷光ファスナー装置の提供。【解決手段】本考案の冷光ファスナー装置は、一対の冷光ファスナーテープ、複数の務歯、ファスナースライダーを含み、前記冷光ファスナーテープ内部にEL材を設け、このEL材は冷光ファスナーテープと共にプレスされ、前記EL材と電源が接続されて冷光を発することができ、前記複数の務歯は順序に従い冷光ファスナーテープの向かい合う辺縁部に固定され、且つ、前記ファスナースライダーは前記務歯上に移動可能に設置され、前記ファスナースライダーの滑動により前述の務歯がファスナースライダーによる圧迫と解放を受けて相互にかみ合ったり分離したりすることができる。  【選択図】図１A
0003123230.tif 000002
【実用新案登録請求の範囲】
【請求項１】
一対の冷光ファスナーテープと、複数の務歯と、ファスナースライダーを含み、そのうち、前記冷光ファスナーテープ内部にEL材が設けられ、前記EL材が電源を受け取って冷光を発することができ、前記複数の務歯が前記一対の冷光ファスナーテープの向かい合う辺縁部に固定され、前記ファスナースライダーが前記務歯に移動可能に設置され、前記ファスナースライダーの滑動により、前記務歯を相互に噛み合わせたり分離したりすることができる構成としたことを特徴とする冷光ファスナー装置。        
【請求項２】
前記冷光ファスナー装置がさらに駆動器及びEL材を含み、前記EL材が前記冷光ファスナーテープと共にプレス成型され、前記駆動器が前記EL材に接続され、前記EL材が発光するときに必要な電源を提供する構成としたことを特徴とする請求項１に記載の冷光ファスナー装置。
【請求項３】
前記冷光ファスナーテープがプラスチック鋼ファスナータイプであり、前記プラスチック鋼ファスナータイプの冷光ファスナーテープが冷光ワイヤを直接プレス成型して成る構成としたことを特徴とする請求項１に記載の冷光ファスナー装置。        
【請求項４】
前記冷光ファスナーテープの一端が共に結合され、前記冷光ファスナーテープが同じ１本の冷光ワイヤを半分に折り曲げて形成された構成としたことを特徴とする請求項１に記載の冷光ファスナー装置。
【請求項５】
前記冷光ファスナーテープ外側を延伸してテープ部を設け、前記テープ部を固定に用いることができる構成としたことを特徴とする請求項１に記載の冷光ファスナー装置。        
【請求項６】
前記テープ部がさらに駆動器及びEL材を含み、前記駆動器が前記テープ部の前記EL材に接続され、前記EL材が発光するときに必要な電源を提供する構成としたことを特徴とする請求項１に記載の冷光ファスナー装置。
【請求項７】
前記EL材で複数の図柄を形成した構成としたことを特徴とする請求項１に記載の冷光ファスナー装置。        
【請求項８】
前記冷光ファスナーがポリ塩化ビニル、ポリウレタン及び関連の防水効果を備えたプラスチック材料を含む構成としたことを特徴とする請求項１に記載の冷光ファスナー装置。
【請求項９】
前記ファスナースライダーが内部に電源を受け取って冷光を発するEL材を含む構成としたことを特徴とする請求項１に記載の冷光ファスナー装置。        
【考案の詳細な説明】
【技術分野】
【０００１】
本考案は冷光ファスナー装置に関し、詳細には、冷光ファスナー装置であって、この冷光ファスナー装置の冷光ファスナーテープ内にEL（Electroluminescence：エレクトロルミネッセンス）材料を設け、且つ、このEL材料が微弱な電流のみで冷光を発することができる、冷光ファスナー装置に関する。
【背景技術】
【０００２】
今日まで、ファスナーは衣服やズボン、かばん、靴などさまざまな用途に使用されており、開発を経たこれら製品は、市場における潜在性と販売量が大きいだけでなく、価値も高く、生活にさまざまな利便性をもたらしている。近年来、市場には多くの特殊用途の設計が登場しており、例えば光反射ファスナーは光反射材料を組み合わせ、ファスナーに異なる照明下でさまざまな変化をさせ、商品に光反射効果を持たせており、時代のトレンドに合わせられるほか、夜間の安全を目的とした光反射衣料やかばんに応用することができる。このほか、光の屈折効果を備えたファスナーもあり、屈折性質を利用して多彩な光線を発させるもので、ファスナーの付加価値を高めている。しかしながら、上述のファスナー製品はすべて外在環境の光源に頼っており、自ら発光したり発光を制御したりすることができない。
【０００３】
このため、いかに上述の欠点を排除するかが、本考案の解決する技術的問題点である。
【考案の開示】
【考案が解決しようとする課題】
【０００４】
以上の問題に鑑みて、本考案の主な目的は、EL材を備え、光電変換の原理を利用して電源を受け取って冷光を発する、使用に便利で安全性の高い、冷光ファスナー装置を提供することにある。
【０００５】
また、本考案の別の目的は、構造が簡単で変化をつけやすく、適切な駆動器を組み合わせて異なる発光効果を形成することができ、応用範囲が非常に広い、冷光ファスナー装置を提供することにある。          
【課題を解決するための手段】
【０００６】
上述の目的を達するため、本考案の冷光ファスナー装置は、一対の冷光ファスナーテープ、複数の務歯、ファスナースライダーを含み、前記冷光ファスナーテープ内部にEL材を設け、このEL材は冷光ファスナーテープと共にプレスされ、前記EL材と電源が接続されて冷光を発することができ、前記複数の務歯は順序に従い冷光ファスナーテープの向かい合う辺縁部に固定され、且つ、前記ファスナースライダーは前記務歯上に移動可能に設置され、前記ファスナースライダーの滑動により前述の務歯がファスナースライダーによる圧迫と解放を受けて相互にかみ合ったり分離したりすることができる。
【０００７】
具体的には、本考案の冷光ファスナー装置は一般的なファスナーとして作ることができ、その冷光ファスナーテープ周辺を延伸しテープ部を設けて固定に便利なようにし、服飾、かばん、靴等に応用することができる。また、直接リング状に形成することもでき、例えば携帯電話のストラップや荷物のタグひも等として利用すると、ファスナーの開閉機能を備えているため、手を通して持ったり、掛けたりして使用することができ、美観と実用性を兼ね備えている。        
【考案の効果】
【０００８】
本考案の進歩性と実用性を寄りはっきりと示すため、以下、従来品と比較して分析する。
《従来品の欠点》
一、外在環境の光源に頼らなければならず、自ら発光することができない。
二、外在環境の光源に頼らなければならず、発光を制御することができない。
《本考案の利点》
一、光電変換の原理を利用し、EL材を冷光ファスナーテープ内に設置している。
二、第一点を受け、電源を受け取り冷光を発することができ、使用に便利で安全性が高い。
三、適切な駆動器を組み合わせ、異なる発光効果を形成することができる。
四、進歩性と実用性を備えている。
五、産業的競争力を向上できる。        
【実施例１】
【０００９】
図１Ａと図１Ｂに本考案の実施例１の冷光ファスナー装置の正面図及び側面図をそれぞれ示す。
【００１０】
本実施例の冷光ファスナー装置１０は主に一対の冷光ファスナーテープ２０、複数の務歯３０、ファスナースライダー４０から構成され、そのうち、前記冷光ファスナーテープ２０はEL材２１を含み、このEL材２１は一般的に市販されているELワイヤとすることができ、その中心は通常湾曲が可能な銅線であり、この銅線の表面に特殊な蛍光物質を塗布し、さらに2本の髪の毛のように細いワイヤを巻きつけ、異なる色のプラスチックカバーで外側を覆うと各種異なる色の冷光ワイヤができる。かつ、前記中心の銅線を一極とし、髪の毛のように細いワイヤが他方の一極とし、交流電流を通すと冷光を発する光源となる。
【００１１】
冷光光源の一般的な作業電圧と周波数は調整後操作電圧をＡＣ４０ボルトからＡＣ２２０ボルト、操作周波数が５０Hzから４０００Hzとすることができ、電圧を増加すると冷光の輝度が増加し、もしくは周波数を増加しても輝度を増加することができるが、同時に発光色が変化するため、通常はEL材の面積の大きさ、発光輝度、使用環境、寿命等の条件を考慮し、合わせて駆動器２２を用いてEL材２１の電圧と周波数を駆動し、異なる発光効果を提供している。
【００１２】
本実施例の冷光ファスナー２０はプラスチック鋼ファスナーであり、プラスチック鋼と前述のEL材２１を一体成型し、これを冷光ファスナーテープ２０と並べて排列し、且つ、冷光ファスナーテープ２０の相互に向かい合う辺縁部のファスナー結合部２５に複数の務歯３０が設置される。ファスナースライダー４０は前記務歯３０上に移動可能に設置され、冷光ファスナーテープ２０の開閉を制御できる。また、本実施例の冷光ファスナーテープ２０は開製品ファスナーであり、冷光ファスナーテープ２０の上端の務歯３０の端に上止２６が設置され、ファスナースライダー４０の通過を防止し、且つ、冷光ファスナーテープ２０の使用上の利便性のため、駆動器２２の数量は２つとしてもよく、この冷光ファスナーテープ２０に対しそれぞれ作動するようにしてもよい。実際の応用上本実施例の冷光ファスナーテープ２０は止製品ファスナーとすることもできる。
【００１３】
図２Ａと図２Ｂに本考案の実施例１の開いた状態と閉じた状態をそれぞれ示す。ファスナースライダー４０は冷光ファスナーテープ２０の導入端２３から導入され、ファスナースライダー４０を引っ張る力によりファスナースライダー４０に務歯３０を押させて相互を近寄らせ、噛み合せることができ、冷光ファスナーテープ２０を徐々に閉じることができる（図２Ｂ参照）。
【００１４】
本実施例において冷光ファスナーテープ２０はさらにポリ塩化ビニル、ポリウレタン及び関連の防水効果を備えたプラスチック材料を含むことができ、且つ、前記冷光ファスナーテープ２０の周辺にさらに外側に向かって延伸したテープ部２４を設け、且つ、この延伸したテープ部２４を利用してその他物品上に固定することができる。図３に示すように、服飾５０上やかばん、靴等に固定でき、一般的なファスナーとして開閉し利用できるが、本考案はこの形態のみに限られない。
【００１５】
図４に示すように、本実施例の冷光ファスナーテープ２０はテープ部２４上にもEL材２７を設けており、このEL材２７は冷光テープから構成することができ、さまざまな図柄２８を形成し、識別や装飾等の用途に利用することができ、且つ、EL材２７は駆動器２９の駆動により冷光を発するものとする。
【実施例２】
【００１６】
図５に本考案の実施例２の冷光ファスナー装置９０を示す。実施例１と異なるのは、本実施例の冷光ファスナーテープ６０は乃形成一閉合端６１と導入端６２を備え、ファスナースライダー８０を導入端６２から導入すると務歯７０が相互に噛み合い、且つ、冷光ファスナーテープ６０の周囲には延伸したテープ部はなく、実務上この冷光ファスナーテープ６０は冷光ワイヤを直接プレス成型し、折り曲げて２つの部分を形成したものである。
【００１７】
この冷光ファスナー６０の導入端６２は、固定部材５１などその他部材を結合し、ストラップとすることができ、図６に示すように、ファスナーは開閉機能を備えているため、冷光ファスナー装置９０を携帯電話５２のストラップとして利用し、人体の部分にくぐらせて人体上に固定することができる。当然、荷物のタグひもや携帯電話、カメラ、ＭＰ３プレイヤー等の商品上に応用することもでき、実用性と安全性が得られるだけでなく、発光の装飾性も兼ね備えることができる。さらに、本考案のファスナースライダー８０は内部にEL材８１を設けることができ、このEL材８１は電源を受け取って冷光を発し、より豊富で多彩な視覚効果が得られ、そのうち、ファスナースライダー内にも駆動器を設置して電源を提供することができるが、ここでは説明を省略する。
【００１８】
図８に示すように、ファスナースライダー９１前部には引き手として用いる引きひもを設けることができ、この引きひももEL材９２から構成することができ、このEL材９２は冷光ワイヤを直接折り曲げて形成する。当然、ファスナースライダー９１の一端に駆動器９３を設置し組み合わせて使用することもできるが、ここでは説明を省略する。
【００１９】
上述のように、本考案の冷光ファスナー装置は、光電変換の原理を利用し、EL材を冷光ファスナーテープ内に設置して微弱な電流のみで冷光を発させることができ、冷光光源そのものの安全性が高く、可視度も極めて高いため、事故発生の確率を低くすることができる。
【００２０】
このほか、本考案の冷光ファスナー装置の構造は簡単でコストが低く、異なる使用上の必要性に基づき駆動器を組み合わせると、冷光光源の強弱、明暗、周波数及び色の変化を制御でき、多様な視覚効果が得られ、顧客の商品を多様化することができる。
以上で述べた説明は本考案の最良の実施例に基づくものであり、本考案の特許範囲を制限するものではなく、本考案の明細書及び図面の内容に基づく同等効果を得る構造を直接または間接的にその他関連技術領域に運用したものはすべて、本考案の要旨の範囲内に含まれるものとみなす。
【００２１】
上述のように、本考案は従来技術を打破する構造の下、確実にその増進を図る効果を得ることができ、且つ、関連技術を熟知した人物でなくとも容易に理解することができ、さらに、本考案はその出願前に公開されたことがなく、その進歩性、実用性は実用新案登録出願の要件を満たしているため、法に基づき実用新案登録出願を提出するものである。
【図面の簡単な説明】
【００２２】
【図１Ａ】本考案の冷光ファスナー装置の正面図である。
【図１Ｂ】本考案の冷光ファスナー装置の側面図である。
【図２Ａ】本考案の冷光ファスナー装置の立体分解図である。
【図２Ｂ】本考案の冷光ファスナー装置の立体斜視図である。
【図３】本考案の冷光ファスナー装置の使用状態を示す模式図である。
【図４】本考案のテープ部を備えた冷光ファスナー装置の立体斜視図である。
【図５】本考案の別の実施例の冷光ファスナー装置の立体斜視図である。
【図６】図５の冷光ファスナー装置の使用状態を示す模式図である。
【図７】本考案の冷光効果を備えたファスナースライダーを設けた冷光ファスナー装置の立体斜視図である。
【図８】本考案の別の冷光効果を備えたファスナースライダーを設けた冷光ファスナー装置の立体斜視図である。
【符号の説明】
【００２３】
１０、９０  冷光ファスナー装置      
２０、６０  冷光ファスナーテープ
２１、２７、８１、９２  EL材      
２２        駆動器
２３        導入端
２４        テープ部
２５        ファスナー結合部
２６        上止
２８        図柄
２９        駆動器
３０、７０  務歯
４０、８０、９１    ファスナースライダー
５０        服飾
５１        固定部材
５２        携帯電話
６１        閉合端
６２        導入端
【図１Ａ】
0003123230.tif 000003
【図１Ｂ】
0003123230.tif 000004
【図２Ａ】
0003123230.tif 000005
【図２Ｂ】
0003123230.tif 000006
【図３】
0003123230.tif 000007
【図４】
0003123230.tif 000008
【図５】
0003123230.tif 000009
【図６】
0003123230.tif 000010
【図７】
0003123230.tif 000011
【図８】
0003123230.tif 000012